(57)【要約】【課題】多くのデータ信号線、制御信号線を必要とせず、且つ複雑な通信制御を必要とせずに、複合電子装置に組み込まれた複数の電子装置が、それぞれの動作状態等の表示データを１つの表示装置に直接表示することができるようにする。【解決手段】それぞれの電子装置を制御する第１、第２の制御手段と１つの表示装置を駆動する駆動手段とを並列にシリアル通信で接続して、第１の制御手段が表示装置を駆動する駆動手段を制御するとき、第１の制御手段から第２の制御手段に制御信号を送出して、第２の制御手段のスリーステート出力端子をハイインピーダンス状態にし、第１の制御手段が表示装置を駆動する駆動手段を制御しないとき、第１の制御手段のスリーステート出力端子をハイインピーダンス状態にし、第１の制御手段から第２の制御手段に制御信号を送出して、第２の制御手段が表示装置を駆動する駆動手段を制御するようにする。【選択図】　　　　図１
2004077774.tif 000002
【特許請求の範囲】
【請求項１】
複数の電子装置が組み込まれた複合電子装置に設けられた１つの表示装置を制御するマルチ制御システムにおいて、表示装置を駆動する駆動手段にシリアル通信で接続され、前記駆動手段を制御するスリーステート出力端子を有する第１の制御手段と、前記第１の制御手段と並列に前記駆動手段にシリアル通信で接続され、前記第１の制御手段から送出された制御信号を受信して、前記駆動手段を制御するスリーステート出力端子を有する第２の制御手段とを備え、前記第１の制御手段が前記駆動手段を制御するとき、前記第１の制御手段から前記第２の制御手段に制御信号を送出して、前記第２の制御手段のスリーステート出力端子をハイインピーダンス状態にし、前記第１の制御手段が前記駆動手段を制御しないとき、前記第１の制御手段のスリーステート出力端子をハイインピーダンス状態にし、前記第１の制御手段から前記第２の制御手段に制御信号を送出して、第２の制御手段が前記駆動手段を制御するようにしたことを特徴とするマルチ制御システム。
【請求項２】
複数の電子装置が組み込まれた複合電子装置に設けられた１つの表示装置を制御するマルチ制御システムにおいて、表示装置を駆動する駆動手段を制御するスリーステート出力端子を有する第１の制御手段と、前記第１の制御手段と並列に前記駆動手段に接続され、前記第１の制御手段から送出された制御信号を受信して、前記駆動手段を制御するスリーステート出力端子を有する第２の制御手段とを備え、前記第１の制御手段が前記駆動手段を制御するとき、前記第１の制御手段から前記第２の制御手段に制御信号を送出して、前記第２の制御手段のスリーステート出力端子をハイインピーダンス状態にするようにしたことを特徴とするマルチ制御システム。
【請求項３】
前記第１の制御手段が前記駆動手段を制御しないとき、前記第１の制御手段のスリーステート出力端子をハイインピーダンス状態にし、前記第１の制御手段から前記第２の制御手段に制御信号を送出して、第２の制御手段が前記駆動手段を制御するようにしたことを特徴とする請求項２記載のマルチ制御システム。
【請求項４】
前記駆動手段は、前記第１、第２の制御手段とシリアル通信で接続されていることを特徴とする請求項２記載のマルチ制御システム。
【発明の詳細な説明】
【０００１】
【発明の属する技術分野】本発明は、複数の電子装置が組み込まれた複合電子装置のマルチ制御システムに係り、特に複数の電子装置が共通使用する表示素子を個別に駆動するマルチ制御システムに関する。
【０００２】
【従来の技術】一般に、複数の電子装置が組み込まれた複合電子装置には、それぞれの電子装置が共通使用する１つの表示装置が設けられていて、その表示装置は複数の電子装置の中の１つの電子装置に接続され、その１つの電子装置が他の複数の電子装置の動作状態等の表示データを表示装置に表示するようになっている。図４は従来例を示したものである。図４では、マイコン１１がドライバＩＣ１３に直接接続されていて、マイコン１１はドライバＩＣ１３に表示データ信号を送信して、ドライバＩＣ１３を制御して表示素子１４を駆動し、表示データを表示素子１４に表示するようになっている。また、マイコン１２は、ドライバＩＣ１３に直接接続されていないため、マイコン１１に表示データ信号を送信し、マイコン１１がその表示データ信号を受信して、ドライバＩＣ１３に表示データ信号を送信し、その表示データを表示素子１４に表示するようになっている。
【０００３】また、複数のマイコンが表示素子を駆動するドライバＩＣに表示データ信号を直接送出するようにしたものとしては、例えば、特開平６−２７４１３４号公報に記載されているように、液晶表示のためのクロック信号とフレーム同期をとるための同期信号とを１つのマイコンから他のマイコンに送信して、２つのマイコンが出力するクロック信号と同期信号とを同期させ、２つのドライバＩＣを内蔵したマイコンが分担して、多数の画素を有する１つの液晶表示素子を同時駆動するようにしたものがあった。
【０００４】
【発明が解決しようとする課題】しかしながら、従来の技術で述べたもののうち前者においては、１つのマイコンを介して、複数のマイコンのそれぞれの動作状態等の表示データを表示素子に表示させることができたが、マイコン１２からマイコン１１に表示データ信号と制御信号とを送信するためのデータ信号線、制御信号線が必要になり、特に、少ないデータ信号線、制御信号線で表示データ信号、制御信号をシリアル通信する場合、表示データ信号等の信号を送受信するための通信制御が必要になるという問題点があった。
【０００５】また、後者においては、２つのマイコン毎に接続されたドライバＩＣを介して１つの表示素子をそれぞれ駆動することができたが、２つのマイコン間で表示データ信号と制御信号とを送受信するためのデータ信号線、制御信号線を必要とするという問題点があった。また、２つのマイコンが１つの表示素子を直接駆動することができるようになっていたが、１つの表示素子の多数の画素を分担して駆動するものであって、２つのマイコンがそれぞれの動作状態等の表示データを表示素子に表示するものではなかった。
【０００６】本発明は、従来の技術の有するこのような問題点に鑑みてなされたものであり、その目的とするところは、複数の電子装置間の多くのデータ信号線、制御信号線を必要とせず、且つ複数の電子装置間での複雑な通信制御を必要とせずに、複合電子装置に組み込まれた複数の電子装置が、それぞれの動作状態等の表示データを１つの表示装置に直接表示することができるマルチ制御システムを提供しようとするものである。
【０００７】
【課題を解決するための手段】上記目的を達成するため本発明においては、複数の電子装置が組み込まれた複合電子装置に設けられた１つの表示装置を制御するマルチ制御システムにおいて、表示装置を駆動する駆動手段を制御するスリーステート出力端子を有する第１の制御手段と、前記第１の制御手段と並列に前記駆動手段に接続され、前記第１の制御手段から送出された制御信号を受信して、前記駆動手段を制御するスリーステート出力端子を有する第２の制御手段とを備え、前記第１の制御手段が前記駆動手段を制御するとき、前記第１の制御手段から前記第２の制御手段に制御信号を送出して、前記第２の制御手段のスリーステート出力端子をハイインピーダンス状態にするようにする。
【０００８】また、前記第１の制御手段が前記駆動手段を制御しないとき、前記第１の制御手段のスリーステート出力端子をハイインピーダンス状態にし、前記第１の制御手段から前記第２の制御手段に制御信号を送出して、第２の制御手段が前記駆動手段を制御するようにする。
【０００９】そして、前記駆動手段は、前記第１、第２の制御手段とシリアル通信で接続するようにするとよい。
【００１０】これらの手段により、複数の電子装置間の多くのデータ信号線、制御信号線を必要とせず、且つ複数の電子装置間での複雑な通信制御を必要とせずに、複合電子装置に組み込まれた複数の電子装置が、それぞれの動作状態等の表示データを１つの表示装置に直接表示することができる。
【００１１】
【発明の実施の形態】以下、適宜図面を参照しながら本発明の実施の形態を詳述する。図１は本発明の実施の形態に係るマルチ制御システムの構成を示すブロック図であり、図２は本発明の実施の形態に係るマルチ制御システムにおけるＶＣＲマイコンの動作を示すフローチャートであり、図３は本発明の実施の形態に係るマルチ制御システムにおけるＤＶＤマイコンの動作を示すフローチャートである。
【００１２】まず、図１の本発明の実施の形態に係るマルチ制御システムの構成を示すブロック図を基に説明する。
【００１３】マルチ制御システム１０は、映像音声信号をビデオカセットテープに記録再生をするビデオカセットレコーダ（ＶＣＲ）のシステム全体を制御するマイコン（以下、ＶＣＲマイコンと呼ぶ）１と、ＤＶＤ（Ｄｉｇｉｔａｌ　Ｖｅｒｓａｔｉｌｅ　Ｄｉｓｃ）に記録されている映像音声信号を再生するＤＶＤプレーヤのシステム全体を制御するマイコン（以下、ＤＶＤマイコンと呼ぶ）２と、表示素子４の各セグメントを駆動して、表示データを表示素子４に表示するドライバＩＣ３とで構成されている。
【００１４】そして、ＶＣＲマイコン１の出力選択端子（ＳＥＬ）とＤＶＤマイコン２の出力選択端子（ＳＥＬ）とが接続され、ＶＣＲマイコン１のチップセレクト端子（ＣＳ）とＤＶＤマイコン２のチップセレクト端子（ＣＳ）とがドライバＩＣ３のチップセレクト端子（ＣＳ）に並列に接続されている。また、ＶＣＲマイコン１のシリアル出力端子（ＳＯ）とＤＶＤマイコン２のシリアル出力端子（ＳＯ）とがドライバＩＣ３のシリアル入力端子（ＳＩ）に並列に接続され、ＶＣＲマイコン１のクロック端子（ＣＬＫ）とＤＶＤマイコン２のクロック端子（ＣＬＫ）とがドライバＩＣ３のクロック端子（ＣＬＫ）に並列に接続されている。
【００１５】また、ＶＣＲマイコン１、ＤＶＤマイコン２のシリアル出力端子（ＳＯ）、クロック端子（ＣＬＫ）、チップセレクト端子（ＣＳ）は、スリーステート出力端子となっていて、ハイインピーダンス状態にすることにより、各出力端子と信号線とを分離することができるようになっている。
【００１６】以上のように構成されたマルチ制御システムについて、以下その動作について説明する。
【００１７】マルチ制御システム１０のＶＣＲマイコン１は、リモコン装置（図示省略）のキー操作により、ＶＣＲからの映像音声信号の出力を選択するＶＣＲモードが選択されると、ＶＣＲマイコン１の出力選択端子（ＳＥＬ）から、ＶＣＲモードが選択されたことを示すＶＣＲモード選択信号をＤＶＤマイコン２の出力選択端子（ＳＥＬ）に送出する。
【００１８】ＤＶＤマイコン２は、ＶＣＲモード選択信号を受信すると、ドライバＩＣ３への出力端子、即ちチップセレクト端子（ＣＳ）、シリアル出力端子（ＳＯ）、クロック端子（ＣＬＫ）をハイインピーダンス状態にして、各出力端子を信号線から分離する。
【００１９】ＤＶＤマイコン２がドライバＩＣ３との接続を分離したことにより、ＶＣＲマイコン１は、ＶＣＲマイコン１のチップセレクト端子（ＣＳ）からチップセレクト信号をドライバＩＣ３のチップセレクト端子（ＣＳ）に送出してドライバＩＣ３を選択し、ＶＣＲマイコン１のクロック端子（ＣＬＫ）から表示データ信号の送信タイミング信号のクロック信号をドライバＩＣ３のクロック端子（ＣＬＫ）に送信し、ＶＣＲマイコン１のシリアル出力端子（ＳＯ）からＶＣＲの動作状態等の表示データ信号をドライバＩＣ３のシリアル入力端子（ＳＩ）に送信して、ドライバＩＣ３を制御して表示素子４を駆動し、ＶＣＲの動作状態等の表示データを表示素子４に表示することができる。
【００２０】また、マルチ制御システム１０のＶＣＲマイコン１は、リモコン装置のキー操作により、ＤＶＤからの映像音声信号の出力を選択するＤＶＤモードが選択されると、ＶＣＲマイコン１の出力選択端子（ＳＥＬ）から、ＤＶＤモードが選択されたことを示すＤＶＤモード選択信号をＤＶＤマイコン２の出力選択端子（ＳＥＬ）に送出し、ドライバＩＣ３への出力端子、即ちチップセレクト端子（ＣＳ）、シリアル出力端子（ＳＯ）、クロック端子（ＣＬＫ）をハイインピーダンス状態にして、各出力端子を信号線から分離する。これにより、ＤＶＤマイコン２のみが、ドライバＩＣ３に接続された状態となる。
【００２１】そして、ＤＶＤマイコン２は、ＤＶＤモード選択信号を受信すると、ＤＶＤマイコン２のチップセレクト端子（ＣＳ）からチップセレクト信号をドライバＩＣ３のチップセレクト端子（ＣＳ）に送出してドライバＩＣ３を選択し、ＤＶＤマイコン２のクロック端子（ＣＬＫ）から表示データ信号の送信タイミング信号のクロック信号をドライバＩＣ３のクロック端子（ＣＬＫ）に送信し、ＤＶＤマイコン２のシリアル出力端子（ＳＯ）からＤＶＤの動作状態等の表示データ信号をドライバＩＣ３のシリアル入力端子（ＳＩ）に送信して、ドライバＩＣ３を制御して表示素子４を駆動し、ＤＶＤの動作状態等の表示データを表示素子４に表示することができる。
【００２２】このことにより、ＶＣＲマイコン１とＤＶＤマイコン２とは、ドライバＩＣ３と並列に接続されているが、ドライバＩＣ３に接続されたＶＣＲマイコン１の出力端子、或いはＤＶＤマイコン２の出力端子をハイインピーダンス状態にすることにより、ドライバＩＣ３との接続を切り離すことができるので、ＶＣＲマイコン１とＤＶＤマイコン２との間の多くのデータ信号線、制御信号線を必要とせず、且つＶＣＲマイコン１とＤＶＤマイコン２との間での複雑な通信制御を必要とせずに、ＶＣＲマイコン１とＤＶＤマイコン２とが、それぞれドライバＩＣ３を制御して表示素子４を駆動し、それぞれの動作状態等の表示データを表示素子４に表示することができる。
【００２３】次に、図２の本発明の実施の形態に係るマルチ制御システムにおけるＶＣＲマイコンの動作を示すフローチャートを基に説明する。
【００２４】マルチ制御システムの電源が投入されると、ステップＳ１からステップＳ２に進み、リモコン装置のキー操作によりＤＶＤを動作させるＤＶＤモードが選択されたか否かが判断され、リモコン装置のキー操作によりＤＶＤモードが選択された場合、ステップＳ５に進み、リモコン装置のキー操作によりＤＶＤモードが選択されていない場合、即ちＶＣＲを動作させるＶＣＲモードが選択された場合、ステップＳ３に進む。
【００２５】ステップＳ３で、ＶＣＲモードが選択されたことを示すＶＣＲモード選択信号がＤＶＤマイコンの出力選択端子（ＳＥＬ）に送出され、ステップＳ４に進む。
【００２６】ステップＳ４で、チップセレクト信号がチップセレクト端子（ＣＳ）からドライバＩＣに送出されてドライバＩＣが選択され、表示データ信号とクロック信号とが、それぞれシリアルデータ出力端子（ＳＯ）とクロック端子（ＣＬＫ）とからドライバＩＣに送信され、ドライバＩＣにより表示素子が駆動されて、表示データが表示素子に表示され、ステップＳ２に戻って、ステップＳ２からのステップを繰り返す。
【００２７】ステップＳ５で、ＤＶＤモードが選択されたことを示すＤＶＤモード選択信号がＤＶＤマイコンの出力選択端子（ＳＥＬ）に送出され、ステップＳ６に進む。
【００２８】ステップＳ６で、ドライバＩＣへの出力端子、即ちチップセレクト端子（ＣＳ）、シリアル出力端子（ＳＯ）、クロック端子（ＣＬＫ）がハイインピーダンス状態にされて信号線から分離され、ステップＳ２に戻って、ステップＳ２からのステップを繰り返す。
【００２９】また、図３の本発明の実施の形態に係るマルチ制御システムにおけるＤＶＤマイコンの動作を示すフローチャートを基に説明する。
【００３０】マルチ制御システムの電源が投入されると、ステップＳ１１からステップＳ１２に進み、ＶＣＲマイコンから送信されたＤＶＤモード選択信号が受信されたか否かが判断され、ＤＶＤモード選択信号が受信された場合、ステップＳ１３に進み、ＤＶＤモード選択信号が受信されていない場合、即ちＶＣＲモード選択信号が受信された場合、ステップＳ１４に進む。
【００３１】ステップＳ１３で、チップセレクト信号がチップセレクト端子（ＣＳ）からドライバＩＣに送出されてドライバＩＣが選択され、表示データ信号とクロック信号とが、それぞれシリアルデータ出力端子（ＳＯ）とクロック端子（ＣＬＫ）とからドライバＩＣに送信され、ドライバＩＣにより表示素子が駆動されて、表示データが表示素子に表示され、ステップＳ１２に戻って、ステップＳ１２からのステップを繰り返す。
【００３２】ステップＳ１４で、ドライバＩＣへの出力端子、即ちチップセレクト端子（ＣＳ）、シリアル出力端子（ＳＯ）、クロック端子（ＣＬＫ）がハイインピーダンス状態にされて信号線から分離され、ステップＳ１２に戻って、ステップＳ１２からのステップを繰り返す。
【００３３】以上、本発明の実施の形態について詳述したが、本発明はこれに限らず、当業者の通常の知識の範囲内でその変形や改良が可能である。例えば、２つマイコンにより、１つのドライバＩＣを個別に制御して、それぞれの表示データを表示素子に表示することについて説明したが、複数のマイコンにより、１つのドライバＩＣを個別に制御して、それぞれの表示データを表示素子に表示するようにしてもよい。
【００３４】
【発明の効果】以上説明してきたように、本発明によるマルチ制御システムによれば、２つの電子装置をそれぞれ制御する２つのマイコンと表示素子を駆動するドライバＩＣとを並列にシリアル通信で接続して、１つのマイコンが表示素子に表示データを表示するとき、そのマイコンから他のマイコンに制御信号を送出して、他のマイコンのスリーステート出力端子をハイインピーダンス状態にして、表示素子を駆動するドライバＩＣとの接続を分離し、１つのマイコンが表示データを表示素子に表示することができ、１つのマイコンが表示素子に表示データを表示しないとき、１つのマイコンのスリーステート出力端子をハイインピーダンス状態にして、表示素子を駆動するドライバＩＣとの接続を分離し、１つのマイコンから他のマイコンに制御信号を送出して、他のマイコンが表示データを表示素子に表示することができる。このことにより、複数の電子装置間の多くのデータ信号線、制御信号線を必要とせず、且つ複数の電子装置間での複雑な通信制御を必要とせずに、複合電子装置に組み込まれた複数の電子装置が、それぞれの動作状態等の表示データを１つの表示装置に直接表示することができる。
【００３５】請求項１記載の発明に係るマルチ制御システムは、それぞれの電子装置を制御する第１、第２の制御手段と１つの表示装置を駆動する駆動手段とを並列にシリアル通信で接続して、第１の制御手段が表示装置を駆動する駆動手段を制御するとき、第１の制御手段から第２の制御手段に制御信号を送出して、第２の制御手段のスリーステート出力端子をハイインピーダンス状態にして、表示装置を駆動する駆動手段との接続を分離し、第１の制御手段が表示装置を駆動することができるようにし、第１の制御手段が表示装置を駆動する駆動手段を制御しないとき、第１の制御手段のスリーステート出力端子をハイインピーダンス状態にして、表示装置を駆動する駆動手段との接続を分離し、第１の制御手段から第２の制御手段に制御信号を送出して、第２の制御手段が表示装置を駆動する駆動手段を制御することができるようにしている。
【００３６】請求項２記載の発明に係るマルチ制御システムは、それぞれの電子装置を制御する第１、第２の制御手段と１つの表示装置を駆動する駆動手段とを並列に接続して、第１の制御手段が表示装置を駆動する駆動手段を制御するとき、第１の制御手段から第２の制御手段に制御信号を送出して、第２の制御手段のスリーステート出力端子をハイインピーダンス状態にして、表示装置を駆動する駆動手段との接続を分離し、第１の制御手段が表示装置を駆動することができるようにしている。
【００３７】請求項３記載の発明に係るマルチ制御システムは、それぞれの電子装置を制御する第１、第２の制御手段と１つの表示装置を駆動する駆動手段とを並列に接続して、第１の制御手段が表示装置を駆動する駆動手段を制御しないとき、第１の制御手段のスリーステート出力端子をハイインピーダンス状態にして、表示装置を駆動する駆動手段との接続を分離し、第１の制御手段から第２の制御手段に制御信号を送出して、第２の制御手段が表示装置を駆動する駆動手段を制御することができるようにしている。
【００３８】請求項４記載の発明に係るマルチ制御システムは、それぞれの電子装置を制御する第１、第２の制御手段と１つの表示装置を駆動する駆動手段とを並列にシリアル通信で接続するようにしている。
【図面の簡単な説明】
【図１】本発明の実施の形態に係るマルチ制御システムの構成を示すブロック図である。
【図２】本発明の実施の形態に係るマルチ制御システムにおけるＶＣＲマイコンの動作を示すフローチャートである。
【図３】本発明の実施の形態に係るマルチ制御システムにおけるＤＶＤマイコンの動作を示すフローチャートである。
【図４】従来のマルチ制御システムの構成の一例を示すブロック図である。
【符号の説明】
１　ＶＣＲマイコン
２　ＤＶＤマイコン
３　ドライバＩＣ
４　表示素子
１０　マルチ制御システム
【図１】
2004077774.tif 000003
【図２】
2004077774.tif 000004
【図３】
2004077774.tif 000005
【図４】
2004077774.tif 000006